(57)【要約】【課題】  送風ファンのファンホルダーを活用して配線基板の撓み変形を抑制することにより、落下衝撃などに起因する配線基板の割れなどを防ぐ。【解決手段】  トランスＴを横幅方向中間部に搭載した配線基板１がシャーシ２に水平に配備されていて、配線基板１の横幅方向片側の後部に備わっている入隅状の凹所１１に、シャーシ２に取り付けられた送風ファン３が配備されている。配線基板１は前端側の２点と後端側の２点とがシャーシ２にビス止めされている。ファンホルダー３１に一体成形した板片部４を、配線基板１の凹所１１の入隅状のコーナ部１１ａを越えて延び出させることにより、その板片部４を基板変形抑制部材として用いる。配線基板１が板片部４に当接することによって配線基板１の撓み変形が抑制される。【選択図】        図１
2007266295.tif 000002
【特許請求の範囲】
【請求項１】
トランスなどの部品を横幅方向中間部に搭載した配線基板がシャーシに水平に配備され、その配線基板の横幅方向片側の後部に備わっている入隅状の凹所に、上記シャーシに取り付けられた送風ファンが配備されていると共に、上記配線基板が、その前端側では横幅方向の両端部２点で上記シャーシに固着され、かつ、その後端側では上記凹所の側方において横幅方向の両端部２点で上記シャーシに固着されている配線基板の取付構造であって、
上記配線基板に搭載されている部品のうちの上記トランスが当該配線基板の横幅方向略中央部に搭載され、かつ、上記シャーシに対する上記配線基板の前端側及び後端側でのそれぞれ固着箇所では、配線基板のビス挿通孔に挿通させた取付ビスがシャーシのねじ孔にねじ込んで締め付けられ、
上記配線基板を挟んで上記シャーシの反対側に、その配線基板の横幅方向の略中央部でその配線基板の板面に当接することによってその配線基板の撓み変形を抑制する基板変形抑制部材が追加されていると共に、上記送風ファンが樹脂成形体でなる正面視矩形のファンホルダーを有してそのファンホルダーが上記シャーシに取り付けられ、
上記基板変形抑制部材が、上記ファンホルダーに一体成形されてそのファンホルダーの一側辺部を起点として上記配線基板における上記凹所の入隅状のコーナ部を越えて延び出たリブ状の板片部によって形成され、その板片部の一端縁が、上記配線基板を挟んで上記シャーシの反対側で、上記配線基板のトランス搭載箇所と上記凹所の入隅状のコーナ部との間で上記板面に対峙していることを特徴とする配線基板の取付構造。
【請求項２】
トランスなどの部品を横幅方向中間部に搭載した配線基板がシャーシに水平に配備され、その配線基板の横幅方向片側の後部に備わっている入隅状の凹所に、上記シャーシに取り付けられた送風ファンが配備されていると共に、上記配線基板が、その前端側では横幅方向の両端部２点で上記シャーシに固着され、かつ、その後端側では上記凹所の側方において横幅方向の両端部２点で上記シャーシに固着されている配線基板の取付構造であって、
上記配線基板を挟んで上記シャーシの反対側に、その配線基板の横幅方向の略中央部でその配線基板の板面に当接することによってその配線基板の撓み変形を抑制する基板変形抑制部材が追加されていて、その基板変形抑制部材が上記配線基板における上記凹所の入隅状のコーナ部を越えて上記配線基板の板面との対峙箇所に延び出ていることを特徴とする配線基板の取付構造。
【請求項３】
上記送風ファンは樹脂成形体でなるファンホルダーを有していると共にそのファンホルダーが上記シャーシに取り付けられていて、そのファンホルダーに一体成形されたリブ状の板片部によって上記基板変形抑制部材が形成されている請求項２に記載した配線基板の取付構造。
【請求項４】
上記配線基板に搭載されている部品のうちの上記トランスが、上記配線基板の横幅方向略中央部に搭載されている請求項２又は請求項３に記載した配線基板の取付構造。
【請求項５】
上記板片部が正面視矩形に構成されている上記ファンホルダーの一側辺部を起点として上記配線基板の板面上に延び出ていて、その板片部の一端縁が上記配線基板のトランス搭載箇所と上記凹所の入隅状のコーナ部との間で上記板面に対峙している請求項４に記載した配線基板の取付構造。
【発明の詳細な説明】
【技術分野】
【０００１】
本発明は、配線基板の取付構造、特に、シャーシに水平に配備されている配線基板に落下衝撃などが加わったときに、その衝撃で配線基板が撓んで亀裂や割れを発生するという事態を抑制するための対策を講じた配線基板の取付構造に関する。
【背景技術】
【０００２】
ＤＶＤドライブやハードディスクドライブなどを搭載している電気電子機器において、電源回路を構成している配線基板には、各種の必要な電子素子などの部品と共に、重量の極端に重いトランスが搭載されていて、選択された数点が剛性に優れたシャーシにビス止めなどの手段で固着されている。このため、電気電子機器に落下衝撃が加わった場合に、トランスの重量が配線基板に加重されてその配線基板が撓み変形を起こしやすく、その撓み変形の程度によっては配線基板が亀裂や割れを生じたりする。
【０００３】
そこで、落下衝撃などに伴う配線基板の撓み変形を抑制するための対策が種々考えられた。それらの対策を次に説明する。
【０００４】
図４は第１の対策が講じられた配線基板の取付構造を示す概略平面図、図５は図４の取付構造の縦断正面図である。
【０００５】
図４及び図５において、配線基板１の基本形状は横長矩形であって、横幅方向片側の後部に略直角に切り込まれた形態の入隅状の凹所１１が備わっていると共に、その前端側の横幅方向両端部にビス挿通孔１２，１３が備わり、かつ、その後端側の横幅方向両端部にもビス挿通孔１４，１５が備わっている。これらのビス挿通孔１１〜１４のうち、後端側の２箇所に備わっているビス挿通孔１４，１５は、上記凹所１１の側方に位置していて、それらのうちの片側のビス挿通孔１４は、配線基板１の横幅方向略中央部に位置している。
【０００６】
一方、シャーシ２は、横長の偏平箱形に構成される機器筐体のボトムケースに相当していて、その後端側の立上り片２１に送風ファン３が取り付けられている。この送風ファン３は、樹脂成形体でなる正面視矩形のファンホルダー３１に、図示していない駆動源としてのモータとそのモータの回転軸に固着されたファン本体とを備えていて、ファンホルダー３１の両側の張出状のブラケット３２，３２を上記立上り片２１にビス止めすることによってシャーシ２に取り付けられている。
【０００７】
また、図４のように、配線基板１をシャーシ２に水平に配備した状態では、配線基板１の凹所１１に送風ファン３が配備される。したがって、配線基板１の凹所１１は、送風ファン３に対する逃がし凹所としての機能を備えている。また、配線基板１は、シャーシ２に設けられた取付片２２，２３，２４やシャーシ２に絞り成形された円錐台形状の膨出部２５にビス止めされる。すなわち、配線基板１の上述した４箇所のビス挿通孔１２，１３，１４，１５に上から挿通させた取付ビス（不図示）を上記の取付片２２，２３，２４や膨出部２５のねじ孔（不図示）にねじ込んで締め付けることによって４点でシャーシ２に水平に固着されている。
【０００８】
そして、図４及び図５に示した配線基板の取付構造では、落下衝撃などに伴う配線基板の撓み変形を抑制するための対策として、配線基板１の前端側の横幅方向中央部の１箇所にビス止め箇所を追加するという手段を採用している。すなわち、配線基板１の前端側の横幅方向中央部の１箇所に凹入部１６を形成することと併せて、その凹入部１６に対応する箇所でシャーシ２に円錐台形状の膨出部１６を追加して絞り成形してあって、図５のように、凹入部１６に挿通させた取付ビス１７を膨出部１６のねじ孔にねじ込んで締め付けようにしている。
【０００９】
これに対し、図６に第２の対策が講じられた配線基板の取付構造を概略縦断側面図で示してある。この第２の対策では、配線基板１に図４及び図５に示した凹入部１６を設けたり、その凹入部１６に対応する箇所でシャーシ２に膨出部２６を絞り成形したりすることに代えて、シャーシ２に絞り形成した膨出部２７に押さえ具２８を取付ビスを用いて取り付け、その押さえ具２８によって配線基板１の前端側の横幅方向中央部を押さえ込ませている。なお、押さえ具２８による配線基板１の押さえ込み箇所は、図４を参照して説明した凹入部１６の形成箇所に相当している。
【００１０】
上記した第１及び第２の各対策によると、配線基板１の前端側で横幅方向中央部が取付ビス１７又は押さえ具２８によって位置規制されるために、落下衝撃などが加わったときの配線基板１の撓み変形が抑制されて亀裂や割れの発生が抑制されるものと考えられる。図４及び図５において、Ｔはトランスを示している。
【００１１】
なお、従来より、シャーシに対するファンユニットの取付構造についての提案が種々なされている（たとえば、特許文献１、特許文献２参照）。また、電子ファンを用いた電子機器の冷却構造（たとえば、特許文献３参照）についての提案や、電子部品の放熱装置についての提案もなされている（たとえば、特許文献４参照）。
【特許文献１】特開２００３−３０４０８５号公報
【特許文献２】特開２００４−２３５２５７号公報
【特許文献３】特開２００２−３０５３９３号公報
【特許文献４】特開２００３−８６９７７号公報
【発明の開示】
【発明が解決しようとする課題】
【００１２】
しかしながら、落下衝撃などに伴う配線基板の撓み変形を抑制するに際して、図４及び図５に示した第１の対策や図６に示した第２の対策を講じると、次に説明するような不都合が併発されることが判った。
【００１３】
すなわち、配線基板１が電源回路を構成している所謂電源基板である場合には、トランスＴを挟む両側に振り分けて一次側回路形成領域Ｚ１と二次側回路形成領域Ｚ２とが形成されるのであるけれども、図４及び図５に示した第１の対策では、配線基板１の取付ビス１７による取付箇所がシャーシ２の膨出部２６の頂部に位置しているために、配線基板１の一次側回路形成領域Ｚ１や二次側回路形成領域Ｚ２を、その膨出部２６の頂部との重なり箇所にまで拡げることができなくなり、その結果、一次側及び二次側の各回路形成領域Ｚ１，Ｚ２の面積が狭くなって回路設計が困難になるという問題がある。この問題は、図６に示した第２の対策についても、押さえ具２８による押さえ箇所にまで一次側回路形成領域Ｚ１や二次側回路形成領域Ｚ２を拡げることができなくなることにより同様に生じると云える。したがって、配線基板１のサイズを大きくすることを余儀なくされる場合がある。
【００１４】
また、第１及び第２の対策のいずれにおいても、ビス止めのための膨出部２６，２７をシャーシ２に絞り成形することを要するために、シャーシ２にそれだけ歪みが発生しやすくなるという問題がある。
【００１５】
さらに、第１及び第２の対策のいずれにおいても、取付ビス１７，２９が余分に必要になってそれだけ部品点数が増加し部品コストが嵩むようになるという問題や、特に第１の対策では、配線基板１が凹入部１６の形成箇所を起点とする亀裂や割れを発生しやすい構造になるという問題がある。
【００１６】
本発明は以上の問題に鑑みてなされたものである。すなわち、本発明は、配線基板の横幅方向片側の後部に備わっている入隅状の凹所に送風ファンが配備されていることに着目し、その送風ファンのファンホルダーを利用して落下衝撃に伴う配線基板の撓み変形を抑制することのできる配線基板の取付構造を提供することを目的とする。
【００１７】
また、本発明は、配線基板の撓み変形を抑制する対策を講じた場合であっても、配線基板の回路形成領域が狭められるという事態が生じず、しかも、シャーシの歪みの原因となる膨出部の絞り成形箇所を増やしたり取付ビスなどの余分な部品の使用数を増やしたりする必要のない配線基板の取付構造を提供することを目的とする。
【課題を解決するための手段】
【００１８】
本発明に係る配線基板の取付構造は、トランスなどの部品を横幅方向中間部に搭載した配線基板がシャーシに水平に配備され、その配線基板の横幅方向片側の後部に備わっている入隅状の凹所に、上記シャーシに取り付けられた送風ファンが配備されていると共に、上記配線基板が、その前端側では横幅方向の両端部２点で上記シャーシに固着され、かつ、その後端側では上記凹所の側方において横幅方向の両端部２点で上記シャーシに固着されている。そして、上記配線基板を挟んで上記シャーシの反対側に、その配線基板の横幅方向の略中央部でその配線基板の板面に当接することによってその配線基板の撓み変形を抑制する基板変形抑制部材が追加されていて、その基板変形抑制部材が上記配線基板における上記凹所の入隅状のコーナ部を越えて上記配線基板の板面との対峙箇所に延び出ている。
【００１９】
この構成であると、配線基板の板面が基板変形抑制部材に当接することによってその配線基板の撓み変形が抑制され、しかも、基板変形抑制部材に対する配線基板の板面の当接箇所が、撓み変形幅の最大となる配線基板の横幅方向の略中央部であるので、落下衝撃などに起因する配線基板の撓み変形によってその配線基板に亀裂や割れが発生するという事態の発生が抑制される。
【００２０】
本発明において、上記送風ファンは樹脂成形体でなるファンホルダーを有していると共にそのファンホルダーが上記シャーシに取り付けられていて、そのファンホルダーに一体成形されたリブ状の板片部によって上記基板変形抑制部材が形成されているという構成を採用することが望ましい。これによれば、樹脂成形体でなるファンホルダーが配線基板の撓み変形を抑制することに有効活用されるようになり、配線基板の回路形成領域が狭められるという事態や、シャーシの歪みの原因となる膨出部の絞り成形箇所を増やしたり取付ビスなどの余分な部品の使用数を増やしたりするという必要もなくなる。
【００２１】
本発明に係る配線基板の取付構造は、配線基板に搭載されている部品のうちの上記トランスが、上記配線基板の横幅方向略中央部に搭載されているものであってもよい。
【００２２】
本発明では、上記板片部が正面視矩形に構成されている上記ファンホルダーの一側辺部を起点として上記配線基板の板面上に延び出ていて、その板片部の一端縁が上記配線基板のトランス搭載箇所と上記凹所の入隅状のコーナ部との間で上記板面に対峙しているという構成を採用することが望ましい。これによれば、基板変形抑制部材としての板片部が、落下衝撃を受けて撓み変形した配線基板と共に撓んでしまうという事態が起こらなくなって、その板片部による配線基板の撓み変形抑制作用が確実に発揮されるようになる。
【００２３】
本発明に係る配線基板の取付構造は、次の構成を採用することによっていっそう具体化される。すなわち、トランスなどの部品を横幅方向中間部に搭載した配線基板がシャーシに水平に配備され、その配線基板の横幅方向片側の後部に備わっている入隅状の凹所に、上記シャーシに取り付けられた送風ファンが配備されていると共に、上記配線基板が、その前端側では横幅方向の両端部２点で上記シャーシに固着され、かつ、その後端側では上記凹所の側方において横幅方向の両端部２点で上記シャーシに固着されている配線基板の取付構造であって、上記配線基板に搭載されている部品のうちの上記トランスが当該配線基板の横幅方向略中央部に搭載され、かつ、上記シャーシに対する上記配線基板の前端側及び後端側でのそれぞれ固着箇所では、配線基板のビス挿通孔に挿通させた取付ビスがシャーシのねじ孔にねじ込んで締め付けられ、上記配線基板を挟んで上記シャーシの反対側に、その配線基板の横幅方向の略中央部でその配線基板の板面に当接することによってその配線基板の撓み変形を抑制する基板変形抑制部材が追加されていると共に、上記送風ファンが樹脂成形体でなる正面視矩形のファンホルダーを有してそのファンホルダーが上記シャーシに取り付けられ、上記基板変形抑制部材が、上記ファンホルダーに一体成形されてそのファンホルダーの一側辺部を起点として上記配線基板における上記凹所の入隅状のコーナ部を越えて延び出たリブ状の板片部によって形成され、その板片部の一端縁が、上記配線基板を挟んで上記シャーシの反対側で、上記配線基板のトランス搭載箇所と上記凹所の入隅状のコーナ部との間で上記板面に対峙している、という構成を採用することによっていっそう具体化される。この発明の作用などについては後述する実施形態を参照して詳細に説明する。
【発明の効果】
【００２４】
以上のように、本発明によれば、配線基板の横幅方向片側の後部に備わっている入隅状の凹所に配備された送風ファンのファンホルダーを活用して配線基板の撓み変形を抑制する基板変形抑制部材を構成することが可能であるので、配線基板の撓み変形を抑制する対策を講じた場合であっても、配線基板の回路形成領域が狭められるという事態が生じなくなって配線基板のサイズの大形化を回避することが可能になり、併せて、シャーシの歪みの原因となる膨出部の絞り成形箇所を増やしたり取付ビスなどの余分な部品の使用数を増やしたりする必要もない。そのため、部品点数の増加を伴わず、しかも、機器の小形化を阻害せずに、落下衝撃に伴う配線基板の撓み変形を抑制して亀裂や割れの発生を防ぐことが可能になる。
【発明を実施するための最良の形態】
【００２５】
図１は本発明の実施形態に係る配線基板の取付構造を示す概略平面図、図２は図１の取付構造のＩＩ−ＩＩ線に沿う部分の縦断側面図、図３は図１の取付構造の概略縦断正面図である。
【００２６】
図例の取付構造において、配線基板１の形状や配線基板１のシャーシ２に対する基本的な取付構造は、図４及び図５を参照して説明したところと同様である。すなわち、配線基板１の基本形状は横長矩形であって、横幅方向片側の後部に略直角に切り込まれた形態の入隅状の凹所１１が備わっていると共に、その前端側の横幅方向両端部にビス挿通孔１２，１３が備わり、かつ、その後端側の横幅方向両端部にもビス挿通孔１４，１５が備わっている。そして、後端側の２箇所に備わっているビス挿通孔１４，１５は、凹所１１の側方に位置していて、それらのうちの片側のビス挿通孔１４は、配線基板１の横幅方向略中央部に位置している。また、シャーシ２は、横長の偏平箱形に構成される機器筐体のボトムケースに相当していて、その後端側の立上り片２１に送風ファン３が取り付けられている。すなわち、送風ファン３の樹脂成形体でなる正面視矩形のファンホルダー３１の両側の張出状のブラケット３２，３２が立上り片２１にビス止めされている。
【００２７】
そして、図４のように、配線基板１をシャーシ２に水平に配備した状態では、配線基板１の凹所１１に送風ファン３が配備されている。また、配線基板１は、シャーシ２に設けられた取付片２２，２３，２４やシャーシ２に絞り成形された円錐台形状の膨出部２５にビス止めされる。すなわち、配線基板１の上述した４箇所のビス挿通孔１２，１３，１４，１５に上から挿通させた取付ビス（不図示）を上記の取付片２２，２３，２４や膨出部２５のねじ孔（不図示）にねじ込んで締め付けることによって、前端側横幅方向の２点と後端側横幅方向の２点でシャーシ２に水平に固着されている。
【００２８】
この実施形態において、配線基板１の幅方向中央部に重量の重いトランスＴが搭載されていて、そのトランスＴを挟む両側に振り分けて一次側回路形成領域Ｚ１と二次側回路形成領域Ｚ２とが形成されている。そして、これらの一次側及び二次側の各回路形成領域Ｚ１，Ｚ２は、配線基板１の前端側の横幅方法中央部を含む板面全体に亘る広い範囲に形成されている。
【００２９】
ところで、上記したファンホルダー３１の一側辺部に相当している一方側のブラケット３２には、基板変形抑制部材としての板片部４が一体成形されていて、その板片部４が、配線基板１を挟んでシャーシ２の反対側、具体的には配線基板１の上側に配備されている。図１〜図３を併せ見ることによって判るように、板片部４は、ファンホルダー３１の一側辺部を起点として配線基板１における凹所１１の入隅状のコーナ部１１ａを越えて前向きに延び出し、図２及び図３のように、その板片部４の一端縁（下端縁）４１が、配線基板１を挟んでシャーシ２の反対側で、配線基板１のトランス搭載箇所と凹所１１の入隅状のコーナ部１１ａとの間で配線基板１の板面にわずかな隙間δを隔てて対峙している。ここで、隙間δは、配線基板１が撓み変形した場合に、その配線基板１に亀裂や割れが発生するよりも前の段階でその配線基板１が板片部４の下端縁４１に当たって撓み変形幅が抑制される広さに定められている。
【００３０】
以上の構成であると、落下衝撃に起因して配線基板１が撓み変形したとしても、配線基板１に亀裂や割れが発生するよりも前の段階で配線基板１が基板変形抑制部材としての板片部４の下端縁４１に当たってその撓み変形が抑制される。そのために、配線基板１に亀裂や割れが発生する余地はない。また、配線基板１の撓み変形が、ファンホルダー３１の一側辺部を起点として配線基板１における凹所１１の入隅状のコーナ部１１ａを越えて前向きに延び出て、配線基板１のトランス搭載箇所と凹所１１の入隅状のコーナ部１１ａとの間で配線基板１の板面にわずかな隙間δを隔てて対峙している板片部４によって抑制されるようになっているために、図４及び図５に示した凹入部１６のような亀裂発生の起点となりやすい部分を配線基板１に設ける必要がない。また、シャーシ２にその歪みの原因になる膨出部２６（図４〜図６参照）を追加する必要もない。その上、取付ビスなどの余分な部品も用いる必要がなくなるので、組立ラインでの量産性が損なわれることもない。
【００３１】
この実施形態では、基板変形抑制部材としての板片部４の下端縁４１と配線基板１の板面との間に隙間δを確保してあるものを説明したけれども、板片部４の下端縁４１を配線基板１の板面に押圧力が加わらない状態で当接させておいてもよい。ただし、隙間δを確保しておくと、板片部４が配線基板１の板面に形成されている電源回路に当接しないために、電源回路が板片部４と擦れて損傷するという事態の発生するおそれがないという利点がある。
【図面の簡単な説明】
【００３２】
【図１】本発明の実施形態に係る配線基板の取付構造を示す概略平面図である。
【図２】図１の取付構造のＩＩ−ＩＩ線に沿う部分の縦断側面図である。
【図３】図１の取付構造の概略縦断正面図である。
【図４】配線基板の撓み変形を抑制するための第１の対策が講じられた配線基板の取付構造を示す概略平面図である。
【図５】図４の取付構造の縦断正面図である。
【図６】配線基板の撓み変形を抑制するための第２の対策が講じられた配線基板の取付構造を示す概略平面図である。
【符号の説明】
【００３３】
Ｔ  トランス
１  配線基板
２  シャーシ
３  送風ファン
４  板片部（基板変形抑制部材）
１１  凹所
１１ａ  凹所の入隅状のコーナ部
３１  ファンホルダー
４１  板片部の一端縁
【図１】
2007266295.tif 000003
【図２】
2007266295.tif 000004
【図３】
2007266295.tif 000005
【図４】
2007266295.tif 000006
【図５】
2007266295.tif 000007
【図６】
2007266295.tif 000008